(57)【特許請求の範囲】
【請求項１】
同軸状で上下方向に設けられた複数のパイプと、前記複数のパイプのうちの少なくとも一つのパイプの内部に、水配管からの水および湯配管からの湯を混合するよう設けられた混合手段と、この混合手段よりも下流側に設けられたシャワホースおよびシャワヘッドよりなるハンドシャワならびに上シャワと、前記混合手段によって混合された湯水を、前記ハンドシャワに供給する状態または前記上シャワに供給する状態に切替える切替手段とを備え、さらに、前記複数のパイプのうち前記混合手段よりも下流側で最上端側に位置するパイプに、前記上シャワを設けるとともに、前記上シャワが、異なる使用形態に応じて、前記最上端側に位置するパイプと共に昇降自在に上下移動するよう構成される一方、排水機構を備えた洗面器が前記上シャワの下方に設けられていることを特徴とする洗面器を備えたシャワ装置。
【請求項２】
同軸状で上下方向に設けられた複数のパイプと、前記複数のパイプのうちの少なくとも一つのパイプの内部に、水配管からの水および湯配管からの湯を混合するよう設けられた混合手段と、この混合手段よりも下流側に設けられたシャワホースおよびシャワヘッドよりなるハンドシャワならびに上シャワと、前記混合手段によって混合された湯水を、前記ハンドシャワに供給する状態または前記上シャワに供給する状態に切替える切替手段とを備え、さらに、前記複数のパイプのうち前記混合手段よりも下流側で最上端側に位置するパイプに、前記上シャワを設けるとともに、前記上シャワが、異なる使用形態に応じて、前記最上端側に位置するパイプと共に昇降自在に上下移動するよう構成される一方、排水機構を備えた洗面器が前記上シャワの下方に設けられるとともに、前記洗面器は、前記上シャワの異なる使用形態に応じて、前記パイプの軸方向のまわりに回転されるよう構成されていることを特徴とする洗面器を備えたシャワ装置。
【発明の詳細な説明】
【技術分野】
【０００１】
この発明は、浴室やシャワルームなどに設置可能な、洗面器を備えたシャワ装置に関するものである。
【背景技術】
【０００２】
下記特許文献１に示すように、例えばシャワルームに設置されるシャワ装置として、例えばオーバーヘッドシャワ（上シャワ）、ボディシャワ、ハンドシャワの三つのシャワを一つに集めた上下方向に延びるシャワバーが知られている。
【０００３】
【特許文献１】特許第３７４７８９３号公報
【発明の開示】
【発明が解決しようとする課題】
【０００４】
しかしながら、例えばシャワルームにおいて、シャワバーを使って顔を洗う際、洗面に用いる湯水を溜める手段がなく、シャワバーからの湯水が飛び散ったりして使い勝手が悪く、また、歯磨きを行うにしても、うがいの際の排水処理に支障をきたし、不潔であり、シャワルームに居ながら通常洗面室で行っているのと同じ動作で、支障をきたすことなく清潔に洗面や歯磨きを行うことができることが望まれている。
【０００５】
この発明は、洗面機能とシャワ機能を併用できる洗面器を備えたシャワ装置を提供することを目的とする。
【課題を解決するための手段】
【０００６】
【０００７】
上記目的を達成するために、この発明は、同軸状で上下方向に設けられた複数のパイプと、前記複数のパイプのうちの少なくとも一つのパイプの内部に、水配管からの水および湯配管からの湯を混合するよう設けられた混合手段と、この混合手段よりも下流側に設けられたシャワホースおよびシャワヘッドよりなるハンドシャワならびに上シャワと、前記混合手段によって混合された湯水を、前記ハンドシャワに供給する状態または前記上シャワに供給する状態に切替える切替手段とを備え、さらに、前記複数のパイプのうち前記混合手段よりも下流側で最上端側に位置するパイプに、前記上シャワを設けるとともに、前記上シャワが、異なる使用形態に応じて、前記最上端側に位置するパイプと共に昇降自在に上下移動するよう構成される一方、排水機構を備えた洗面器が前記上シャワの下方に設けられていることを特徴とする洗面器を備えたシャワ装置を提供する（第１発明）。
【０００８】
【０００９】
また、この発明は別の観点から、同軸状で上下方向に設けられた複数のパイプと、前記複数のパイプのうちの少なくとも一つのパイプの内部に、水配管からの水および湯配管からの湯を混合するよう設けられた混合手段と、この混合手段よりも下流側に設けられたシャワホースおよびシャワヘッドよりなるハンドシャワならびに上シャワと、前記混合手段によって混合された湯水を、前記ハンドシャワに供給する状態または前記上シャワに供給する状態に切替える切替手段とを備え、さらに、前記複数のパイプのうち前記混合手段よりも下流側で最上端側に位置するパイプに、前記上シャワを設けるとともに、前記上シャワが、異なる使用形態に応じて、前記最上端側に位置するパイプと共に昇降自在に上下移動するよう構成される一方、排水機構を備えた洗面器が前記上シャワの下方に設けられるとともに、前記洗面器は、前記上シャワの異なる使用形態に応じて、前記パイプの軸方向のまわりに回転されるよう構成されていることを特徴とする洗面器を備えたシャワ装置を提供する（第２発明）。
【発明の効果】
【００１０】
【００１１】
第１発明では、最上端側に位置するパイプに設けた上シャワ（オーバーヘッドシャワ）が当該パイプと共に昇降自在に上下移動するよう構成され、また、上シャワ（オーバーヘッドシャワ）下方に、排水機構を備えた洗面器が設けられている。そのため、例えば洗顔や歯磨きのために洗面器を使用する場合には、前記パイプと共に上シャワ（オーバーヘッドシャワ）を移動範囲内の最下位置まで下降させることにより上シャワ（オーバーヘッドシャワ）を下方の洗面器に近づけることにより、上シャワ（オーバーヘッドシャワ）から洗面器に例えば直放水や散水のようなシャワ給水することができ、また、洗面器から排水でき、洗面や歯磨きを行う際に通常洗面室で行っているのと同じ動作で、支障をきたすことなく清潔に洗面や歯磨きを行うことができる。
一方、第１発明において、上シャワ（オーバーヘッドシャワ）からの給水により頭からシャワを浴びたい場合には、洗面器使用時とは逆に、前記パイプと共に上シャワ（オーバーヘッドシャワ）を移動範囲内の最上位置まで上昇させることにより、上シャワ（オーバーヘッドシャワ）を洗面器から上方に遠ざけて上シャワ（オーバーヘッドシャワ）から給水することができる。
【００１２】
【００１３】
【００１４】
第２発明では、最上端側に位置するパイプに設けた上シャワ（オーバーヘッドシャワ）が当該パイプと共に昇降自在に上下移動するよう構成され、また、上シャワ（オーバーヘッドシャワ）下方に、排水機構を備え、パイプの軸方向のまわりに回転される洗面器が設けられている。そのため、例えば洗顔や歯磨きのために洗面器を使用する場合には、前記パイプと共に上シャワ（オーバーヘッドシャワ）を移動範囲内の最下位置まで下降させることにより上シャワ（オーバーヘッドシャワ）を下方の洗面器に近づけることができるとともに、使用者は洗面器をパイプの軸方向のまわりに回転することにより洗面器を使用に適した位置にセットして、上シャワ（オーバーヘッドシャワ）から洗面器に例えば直放水や散水のようなシャワ給水することができ、また、洗面器から排水でき、洗面や歯磨きを行う際に通常洗面室で行っているのと同じ動作で、支障をきたすことなく清潔に洗面や歯磨きを行うことができる。
【００１５】
一方、第２発明において、上シャワ（オーバーヘッドシャワ）からの給水により頭からシャワを浴びたい場合には、洗面器使用時とは逆に、前記パイプと共に上シャワ（オーバーヘッドシャワ）を移動範囲内の最上位置まで上昇させることにより、上シャワ（オーバーヘッドシャワ）を洗面器から上方に遠ざけて上シャワ（オーバーヘッドシャワ）から給水することができるとともに、上シャワ（オーバーヘッドシャワ）からの給水を最適位置で受けるために、当該最適位置に洗面器が例えば前出し状態で位置している場合には、洗面器が使用者の給水動作の邪魔にならないように、使用者は洗面器をパイプの軸方向のまわりに回転することにより洗面器の位置を変更することができ、使用者は給水の最適位置を確保することができる。すなわち、例えばシャワルームでシャワを浴びるときに、洗面器に体が当たるといった事態を回避できこの発明はバリアフリーとしても有効である。
【００１６】
このように、第１、２の発明では、例えばシャワルームや浴室に、この発明に係る洗面器を備えたシャワ装置を設置しておけば、シャワルームや浴室に居ながらにして洗顔や歯磨きの動作を通常洗面室にいるのと同様の雰囲気で何ら支障なく行うことができる。また、例えばマンション等において、シャワルームとこれに隣接した洗面室が備わっている場合において、洗面室が混みあう時間帯でもサッと気軽に朝シャワならびに洗面や歯磨きを行うことができテキパキと朝の身支度を整えることができる。また、例えばシャワルームと洗面室の二つのスペースがこの発明に係る洗面器を備えたシャワ装置で集約できることから、簡易ホテルやマンションに洗面室とシャワルーム、あるいは洗面室と浴室を二つ設ける場合に比して、水回りに関する敷地を省スペース化でき、例えば簡易ホテルや小規模のマンションに最適であるとともに、この発明では洗面室を設ける必要はなくなるので、洗面室を設けることに付随して設置すべき排水機構等の必要な器具の設置スペースも、この発明では排水機構がシャワ装置と共用できることから、洗面室を設ける場合に比して省スペース化できる上にコスト安にできる。
【発明を実施するための最良の形態】
【００１７】
以下、この発明の実施例を、図を参照しながら説明する。なお、それによってこの発明は限定されるものではない。
【００１８】
図１〜図４は、この発明の一つの実施の形態を示す。図１〜図４において、洗面器を備えたシャワ装置１は例えばシャワルーム（洗い場）Ｓの一つの壁面Ｗに上下に設けた取り付け部材２，３で設置されている。このシャワ装置１は、同軸状、つまり、軸芯（Ｚ）を同じとした状態で、シャワルームＳの水平な床面（ｘ−ｙ平面に平行な面）Ｆに垂直な上下方向（両矢印ｚで示す方向）に隣接するもの同士が適宜の連結手段により連結可能に設けられた複数のパイプＰ1 〜Ｐ6 と、複数のパイプＰ1 〜Ｐ6 のうちの一つのパイプＰ3 の内部に、取り付け部材２内を貫通する水配管２ａからの水および取り付け部材３内を貫通する湯配管３ａからの湯を混合するよう設けられた混合手段４と、この混合手段４よりも下流側に設けられたシャワホース５およびシャワヘッド６よりなるハンドシャワ７ならびに上シャワ（オーバーヘッドシャワ）８と、混合手段４によって混合された湯水を、ハンドシャワ７に供給する状態または上シャワ（オーバーヘッドシャワ）８に供給する状態に切替える切替手段Ｇとを備えている。さらに、シャワ装置１において、複数のパイプＰ1 〜Ｐ6 のうち混合手段４よりも下流側で最上端側に位置するパイプＰ1 に、前記上シャワ（オーバーヘッドシャワ）８が設けられるとともに、上シャワ（オーバーヘッドシャワ）８が、異なる使用形態、すなわち、洗顔や歯磨きのために洗面器１０を使用する場合と上シャワ（オーバーヘッドシャワ）８やハンドシャワ７からシャワを浴びたい場合に応じて、最上端側に位置するパイプＰ1 と共に昇降自在にシャワルームＲの床面Ｆに垂直なｚ方向に上下移動するよう構成される一方、排水機構９を備えた洗面器１０が上シャワ（オーバーヘッドシャワ）８の下方に設けられている。洗面器１０は、上シャワ（オーバーヘッドシャワ）８の前記異なる使用形態に応じて、パイプＰ1 〜Ｐ6 の軸方向（軸芯Ｚ方向）のまわりに回転されるよう構成されている。
前記上シャワ（オーバーヘッドシャワ）８は、中央にストレートな直放水を吐する単一のストレート口ａとこの周囲に設けられた複数のシャワ散水口ｂを有するシャワ板８ａを備えた上シャワヘッド８ｂと、ストレート口ａあるいはシャワ散水口ｂと後述する湯水供給流路ｉに連通する上シャワ取り付け用の中空のバー８ｃよりなる。バー８ｃの上流端部は上下方向（ｚ方向）に昇降自在な接続管Ｐの下流端部に接続されている。バー８ｃの外径は接続管Ｐの外径よりも小さく、バー８ｃと接続管ＰとはパイプＰ1 内において適宜の連結手段により連結されて接続管Ｐがｚ方向に上下動するとパイプＰ1 と上シャワ（オーバーヘッドシャワ）８も共にｚ方向に上下動するように構成されている。８ｄは、直放水か、あるいはシャワ散水かに上シャワ（オーバーヘッドシャワ）８のモードを切替えるプッシュ式の切替えボタンである。
【００１９】
前記排水機構９を備えた洗面器１０は、使用に便利な広口の上方開口１１を有し、水平対称軸Ｔに対して左右対称に成形された例えばすり鉢状のの洗面ボール１２と、洗面ボール１２の底面中央に設けた排水口１３と、この排水口１３から床１４下に位置する排水配管１５までの間に設けられた前記排水機構９とよりなる。そして、例えば狭いシャワルームにおい使用者の占有空間を多くして物に当たったりせずに使い勝手が良好になるように、例えば、パイプＰ1 〜Ｐ6 取り付け壁面Ｗからの洗面ボール１２の前出しをできるだけ抑えるために、洗面ボール１２は、壁面Ｗに対向する背面側の中央部分にパイプＰ4 を挿通可能にする切欠き１２ａを有している。
また、前記排水機構９は、通常洗面器に使用されるＵ字形状をした水溜部のような部材を持たない簡易なストレートなパイプを有する構成となっている。排水機構９は、パイプＰ1 〜Ｐ6 に平行で、水平な床面Ｆに垂直な方向（ｚ方向）に設けられ、上端が排水口１３に接続され下端に水抜き栓１６ａを有する上下直管１６と、この直管１６の周面途中からパイプＰ1 〜Ｐ6 側に分岐して軸芯Ｚ方向のまわりに回転可能なパイプＰ5 に連結される水平直管１７とよりなる排水導出部を有している。水平直管１７は床面Ｆに平行に配置されている。そして、パイプＰ5 の上側に隣接して位置するパイプＰ4 は固定設置されており、また、パイプＰ5 の下側に隣接してパイプＰ1 〜Ｐ6 の最下端側に位置するパイプＰ6 は、適宜の固定手段および座金Ｅを介して床１４に固定されている。１５は排水配管である。また、前記直管１６，１７とで洗面器１０における排水流路ｋを形成する排水用の内管１８が、パイプＰ5 を介して直管１７およびパイプＰ6 間に９０°角を持ったエルボ１９を有する状態で内設されている。前記水平直管１７は、パイプＰ5 の周面に形成された開口にはめ込まれた前記エルボ１９の上流端と連通連結されており、また、パイプＰ5 は、上下に連結されている固定のパイプＰ4 ，Ｐ6 に対して、エルボ１９ならびに内管１８と共に軸芯Ｚ方向のまわりに回転されるよう構成されている。そのため、上述したように、使用者が洗面器１０を回動操作することにより、洗面器１０を軸芯Ｚ方向のまわりに水平状態を保ちながら回転させることができる。例えば、洗面器１０の回転角度の範囲は１２０°に設定されている。洗面器１０は、壁面Ｗに洗面器１０の水平対象軸Ｔが直角になるよう壁面Ｗに向かって真正面に置かれた洗面器１０の位置〔図１（Ｂ）〕から、図２（Ｂ）に示すように向かって右側に６０°回転するとともに、左側にも６０°回転するようになっている。
【００２０】
前記混合手段４はパイプＰ3 の下部に内蔵されている。なお、この実施の形態では、混合手段４は一つのパイプＰ3 内に設ける場合を示すが、例えばＰ3 ，Ｐ4 、あるいはＰ3 ，Ｐ2 というように二つのパイプに渡って設けてもよく、また、三つ以上のパイプに渡って設けてもよく、要は、混合手段４は特定の一つのパイプに内蔵される形態に限定されるものではなく、複数のパイプに渡って設けてもよい。
以下、前記混合手段４の一例を図４に示す。混合手段４は、ハンドシャワ７または上シャワ８から吐出させる湯水の温度を設定するとともに、流量調整ならびに吐出、止水操作を行うための温度設定手段（例えば、温度設定ハンドル）２０と、この温度設定手段２０により設定した温度に対応した湯水の混合を行わせるための自動温度調節機能を有する温度調整ユニット２１とを主として備えている。そして、温度設定手段２０と温度調整ユニット２１は市販品のものを用いている。温度調整ユニット２１は、弁体／サーモエレメント収納用ケース２２と、温度設定手段２０による栓棒Ｒの回動運動を水平運動に変換してこの水平運動をサーモエレメント側に伝達する伝達機構を収納するケース２３とを有する。
前記温度設定手段２０は、前記栓棒Ｒを介して前記伝達機構に連結されている。そして、前記弁体／サーモエレメント収納用ケース２２は、パイプＰ3 の上流端部２４に形成された開口ＡからパイプＰ3 内に嵌込まれている。また、温度調整ユニット２１の前記ケース２２内には、水配管２ａからの水および湯配管３ａからの湯を混合するための混合室Ｍが形成されている。ｊは水配管２ａからの水の流路、ｈは湯配管３ａからの湯の流路を示す。前記混合室Ｍ内において混合された湯水の温度に影響を受けて膨張・収縮するサーモワックス２５が収納されており、また、このワックス２５の膨張・収縮に伴って伸縮するサーモエレメント２６が収納されており、さらに、このサーモエレメント２６の伸縮に伴って移動し、移動することによって、前記混合室Ｍの異なる箇所に設けられた水配管２ａに連通する連通口２７および湯配管３ａに連通する連通口２８を閉塞する割合が変化する弁体２９が収納されている。そして、前記弁体２９による２つの連通口２７，２８を閉塞する割合の変化に伴って、前記混合室Ｍへの水配管２ａおよび湯配管３ａからの湯水の導入流量の比率が変化し、これにより、混合室Ｍ内において混合される湯水の温度が変化するように構成してある。
【００２１】
上記の構成からなる温度調整ユニット２１では、前記混合室Ｍ内において混合された湯水の温度が、前記温度設定手段２０により設定した温度に対応する温度となっていない場合には、前記混合室Ｍ内における湯水の温度の影響を受けて前記ワックス２５が膨張・収縮し、サーモエレメント２６が伸縮し、さらには前記弁体２９が移動するのであり、この移動に伴って、水配管２ａからの水および湯配管３ａからの湯の前記混合室Ｍ内への導入流量の比率が変化し、混合室Ｍ内で混合される湯水の温度が前記温度設定手段２０により設定された温度に対応する温度に近づき、最終的に一致することとなる。そして、この設定温度の湯水が湯水供給流路ｉを流れる。この例では混合室Ｍに設けた前記連通口２８の位置がサーモワックス２５が収納される領域の最上流端に一致するようサーモエレメント２６を設置している。したがって、温度調整ユニット２１の自動温度調節動作を迅速に行える利点を有する。
【００２２】
一方、前記パイプＰ3 は、前記水配管２ａおよび湯配管３ａに連通する水導入口３０および湯導入口３１を有し、パイプＰ3 の内部に上流端３２が前記混合手段４と接続するよう設けられた内管３３を有する。そして、図４に示すように、前記水の流路ｊは、環状で、パイプＰ3 と内管３３との間に形成されている。すなわち、切替手段Ｇ側から混合手段４側に水を導入しており、前記水の流路ｊによって、前記湯水供給流路ｉからパイプＰ3 に熱が伝わるのを防止できる。また、パイプＰ2 は、パイプＰ3 と同一の外径を有し、前記内管３３の下流端３３ｂに継手３４を介して連通するようパイプＰ2 の上流端部３６がパイプＰ3 の下流端部３７に接続されている。さらに、接続管Ｐが上下方向（ｚ方向）に昇降自在に移動できるようにパイプＰ2 は接続管Ｐに連通連結されている。
【００２３】
前記切替手段Ｇは、パイプＰ2 に設けられており、切替ハンドル４０と、切替ハンドル５０の切替操作に連動して、湯水供給流路ｉの湯水を、前記シャワホース５に流す状態または前記バー８Ｃに流す状態に切替え可能な切替部とから構成されている。
【００２４】
而して、最上端側に位置するパイプＰ1 に設けた上シャワ（オーバーヘッドシャワ）８が当該パイプＰ1 と共に昇降自在にｚ方向に上下移動するよう構成され、また、上シャワ（オーバーヘッドシャワ）８の下方に、排水機構９を備え、パイプＰ1 〜Ｐ6 の軸芯Ｚ方向のまわりに回転される洗面器１０が設けられている。そのため、例えば洗顔や歯磨きのために洗面器１０を使用する場合には、前記パイプＰ1 と共に上シャワ（オーバーヘッドシャワ）８を移動範囲内の最下位置まで下降させることにより上シャワ（オーバーヘッドシャワ）８を下方の洗面器１０に近づけることができるとともに、使用者は洗面器１０をパイプＰ1 〜Ｐ6 の軸芯Ｚ方向のまわりに回転することにより洗面器１０を使用に適した位置９９にセットして、上シャワ（オーバーヘッドシャワ）８から洗面器１０に例えば直放水や散水のようなシャワ給水することができ、また、洗面器１０から排水でき、洗面や歯磨きを行う際に通常洗面室で行っているのと同じ動作で、支障をきたすことなく清潔に洗面や歯磨きを行うことができる。
【００２５】
一方、上シャワ（オーバーヘッドシャワ）８からの給水により頭からシャワを浴びたい場合には、洗面器使用時とは逆に、前記パイプＰ1 と共に上シャワ（オーバーヘッドシャワ）８を移動範囲内の最上位置まで上昇させることにより、上シャワ（オーバーヘッドシャワ）８を洗面器１０から上方に遠ざけて上シャワ（オーバーヘッドシャワ）８から給水することができるとともに、上シャワ（オーバーヘッドシャワ）８からの給水を最適位置１００で受けるために、当該最適位置１００に洗面器１０が例えば前出し状態で位置している場合には、洗面器１０が使用者の給水動作の邪魔にならないように、使用者は洗面器１０を軸芯Ｚ方向のまわりに回転することにより洗面器１０の位置を変更することができ、使用者は給水の最適位置を確保することができる。そして、シャワルームＳでシャワを浴びるときに、洗面器１０に体が当たるといった事態を回避できバリアフリーとしても有効である。
【００２６】
また、排水機構９を、通常洗面器に使用されるＵ字形状をした水溜部のような部材を持たない簡易なストレートなパイプで構成している。すなわち、パイプＰ1 〜Ｐ6 に平行なｚ方向に設けられ、上端が排水口１３に接続された上下直管１６を排水機構９が有するだけで排水動作が行えるので、通常洗面器に使用されるＵ字形状をした水溜部のような部材では、水溜部が前出し状態になって排水機構に体が当たるおそれがあるが、排水機構９ではそのような不都合を回避できる。
【００２７】
なお、上記実施の形態では、シャワルーム（洗い場）Ｓ内の上シャワ８の下方に排水機構９を備えた洗面器１０を設け、シャワルーム（洗い場）Ｓ内の前記洗面器１０を例えば洗顔や歯磨きのために使用する場合、あるいは、上シャワ（オーバーヘッドシャワ）８からの給水により頭からシャワを浴びたい場合に応じて、前記洗面器１０を軸芯Ｚ方向のまわりに回転するように構成したが、この発明は、洗面器１０を回転させることなく固定状態でシャワルーム（洗い場）Ｓ内に設ける場合にも適用できる。
【図面の簡単な説明】
【００２８】
【図１】（Ａ）は、この発明の一つの実施の形態における洗面器使用状態を示す斜視図である。（Ｂ）は、上記実施の形態における洗面器使用状態の部材の位置関係を平面的に示す図である。
【図２】（Ａ）は、上記実施の形態におけるシャワ使用状態を示す斜視図である。（Ｂ）は、上記実施の形態におけるシャワ使用状態の部材の位置関係をを平面的に示す図である。
【図３】上記実施の形態における流路を示す図である。
【図４】上記実施の形態における混合手段を示す構成説明図である。
【符号の説明】
【００２９】
１          シャワ装置
２ａ        水配管
３ａ        湯配管
４          混合手段
５          シャワホース
６          シャワヘッド
７          ハンドシャワ
８          上シャワ
９          排水機構
１０        洗面器
Ｆ          床面
Ｓ          シャワルーム
Ｐ1 〜Ｐ6   複数のパイプ
Ｗ          壁面
Ｇ          切替手段
Ｐ1         最上端側に位置するパイプ
【図１】
0004837441.tif 000002
【図２】
0004837441.tif 000003
【図３】
0004837441.tif 000004
【図４】
0004837441.tif 000005